(57)【要約】      （修正有）【課題】意匠性が高く、入浴する人を癒すことができるとともに浴室内空間の演出効果の高い風呂用蓋を提供する。【解決手段】風呂用蓋１００は、蓄光剤と集光性蛍光剤の一方又は両方により発光し、風呂用蓋１００の表面及び裏面の両方が蓄光剤により発光することができ、また、風呂用蓋１００は、並列に配設される複数の板状部材１と、隣接する板状部材１を連結するヒンジ部２と、を有し、折り畳み式、又は巻き取り式に構成され、板状部材１の全体が蓄光剤により発光し、板状部材１は、筒状の外筒部と、外筒部の内部を幅方向に２分する補強壁と、を有し、外筒部及び補強壁の両方が蓄光剤により発光することできる風呂用蓋とする。【選択図】図２
2016030080.tif 000002
【特許請求の範囲】
【請求項１】
少なくとも一部が蓄光剤により発光する風呂用蓋。
【請求項２】
少なくとも一部が集光性蛍光剤により発光する風呂用蓋。
【請求項３】
少なくとも一部が蓄光剤により発光し、少なくとも一部が集光性蛍光剤により発光する風呂用蓋。
【請求項４】
表面及び裏面の両方が蓄光剤により発光する請求項１又は請求項３に記載の風呂用蓋。
【請求項５】
並列に配設される複数の板状部材と、
隣接する前記板状部材の表裏両面を露出させた状態で連結するヒンジ部と、を有し、
折り畳み式、又は巻き取り式に構成され、
前記板状部材の表面及び裏面の両方が、蓄光剤により発光する請求項４に記載の風呂用蓋。
【請求項６】
前記板状部材は、筒状の外筒部と、前記外筒部の内部を幅方向に２分する補強壁と、を有し、
前記外筒部及び前記補強壁の両方が蓄光剤により発光する請求項５に記載の風呂用蓋。
【発明の詳細な説明】
【技術分野】
【０００１】
この発明は、浴室の癒し効果と空間演出効果を高めることを目的として、発光するよう構成された風呂用蓋に関する。
【背景技術】
【０００２】
近年、半身浴をしながらアロマオイルを焚いたりキャンドルを灯したりして、家庭の浴室を癒しの空間として、あるいは、趣向を凝らした演出空間として楽しむ人が女性を中心に増えており、風呂用蓋の製造販売に携わる本発明者は、この近年の流行に着想を得て、発光することで入浴する人が癒され、空間演出効果を高める風呂用蓋に想到した。
【０００３】
一方、発光性を有する風呂用蓋としては、風呂用蓋の開閉状態をカメラにより検知する発明において、風呂用蓋の開閉状態を検知しやすくするために、風呂用蓋の表面の一部または全部が蛍光材や発光ダイオードにより発光するよう構成された２枚組の平板式風呂用蓋が提案されている（特許文献１参照）。
【先行技術文献】
【特許文献】
【０００４】
【特許文献１】特開２００２−６５４９３号公報
【発明の概要】
【発明が解決しようとする課題】
【０００５】
しかし、特許文献１の風呂蓋では、蛍光剤を設けた箇所が浴室の電灯に励起される間のみ発光するだけであるため、意匠性に乏しく、とても癒し効果や演出効果を得ることができるものではない。
本発明は、上記課題に鑑みてなされたものであり、意匠性が高く、入浴する人を癒すことができ、浴室内の空間演出効果の高い風呂蓋の提供を目的とする。
【課題を解決するための手段】
【０００６】
上記課題を解決するためになされた発明は、少なくとも一部が蓄光剤により発光する風呂用蓋である。このように、蓄光剤により発光するよう構成することで、浴室内を消灯した際に風呂蓋を発光させることができる。
【０００７】
また、本発明は、少なくとも一部が集光性蛍光剤により発光する風呂用を含む。このように、集光性蛍光剤により発光するよう構成することで、集光された部分のみが光るため風呂蓋の意匠性を効果的に高めることができる。
【０００８】
また、本発明は、少なくとも一部が蓄光剤により発光し、少なくとも一部が集光性蛍光剤により発光する風呂用蓋を含む。このように、蓄光剤と集光性蛍光剤の両方を含むことにより、浴室の灯りを点灯した際には、集光性蛍光剤による発光を楽しむことができ、消灯した際には蓄光剤による灯りを楽しむことができる。
【０００９】
本発明の風呂用蓋は、表面及び裏面の両方が蓄光性を有することが好ましい。一般に半身浴を行う場合は、サウナ効果を得るために蓋の端の方を少しだけ開けて浴槽から首だけ出すようにするのであるが、浴室内の灯りを落とした場合、この開口部から覗く浴槽の内部が真っ暗で不気味に感じられるという問題がある。風呂蓋の表面に加え裏面も蓄光性を持たせることで、浴槽内を照らすことができるため、浴槽内の不気味さを解消できる。
【００１０】
本発明の風呂用蓋は、並列に配設される複数の板状部材と、隣接する前記板状部材の表裏両面を露出させた状態で連結するヒンジ部とを有し、折り畳み式、又は巻き取り式に構成され、前記板状部材の表面及び裏面の両方が、蓄光剤により発光することが好ましい。折り畳み式又は巻き取り式の風呂用蓋の場合、半身浴をする際に首を出す開口を蓋の端部を折り返すことで形成するが、例えば、蓋の表側面のみが発光して、裏面が発光しない場合、折り返した部分が表面の光る部分を隠してしまうため、風呂用蓋の意匠性を減ずる虞がある。板状部材の表裏両面が蓄光剤により発光することで、折り返した部分も発光することになるため、折り返すことにより意匠性が損なわれることを抑制できる。
【００１１】
上記の折り畳み式や巻き取り式に構成された風呂用蓋は、前記板状部材が、筒状の外筒部と、前記外筒部の内部を幅方向に２分する補強壁と、を有し、前記外筒部及び前記補強壁の両方が蓄光剤により発光することが好ましい。このように補強壁にも蓄光材を設けることで、外筒部に加え補強壁も発光するため、板状部材を内側から輝かせて、発光状態の板状部材に奥行きを持たせることができる。
【発明の効果】
【００１２】
以上説明したように、本発明によれば、意匠性が高く、入浴する人を癒すことができるとともに、空間演出効果の高い風呂蓋を提供することができる。
【図面の簡単な説明】
【００１３】
【図１】本発明の第１実施形態に係る風呂用蓋が集光性蛍光剤により発光する様子を示す部分拡大斜視図である。
【図２】図１に示した風呂用蓋が蓄光剤により消灯時に発光する様子を示す斜視図である。
【図３】本発明の第２実施形態に係る風呂蓋の正面図である。
【図４】本発明の第２実施形態に係る風呂蓋の背面図である。
【図５】本発明の第２実施形態に係る風呂蓋の右側面図である。
【図６】本発明の第２実施形態に係る風呂蓋の底面図である。
【図７】図３におけるＡ−Ａ部分拡大図である。
【図８】図４におけるＢ−Ｂ部分拡大図である。
【図９】図６におけるＣ−Ｃ部分拡大図である。
【図１０】図７におけるＤ−Ｄ線断面図である。
【図１１】本発明の第２実施形態に係る風呂蓋の使用状態を示す側面図である。
【図１２】本発明の第３実施形態に係る風呂蓋の正面図である。
【図１３】本発明の第３実施形態に係る風呂蓋の背面図である。
【図１４】本発明の第３実施形態に係る風呂蓋の右側面図である。
【図１５】本発明の第３実施形態に係る風呂蓋の底面図である。
【図１６】図１２におけるＡ−Ａ部分拡大図である。
【図１７】図１３におけるＢ−Ｂ部分拡大図である。
【図１８】図１５におけるＣ−Ｃ部分拡大図である。
【図１９】図１６におけるＤ−Ｄ線断面図である。
【図２０】本発明の第３実施形態に係る風呂蓋の使用状態を示す側面図である。
【図２１】本発明の第４実施形態に係る風呂蓋の正面図である。
【図２２】本発明の第４実施形態に係る風呂蓋の背面図である。
【図２３】本発明の第４実施形態に係る風呂蓋の右側面図である。
【図２４】本発明の第４実施形態に係る風呂蓋の底面図である。
【図２５】図２１におけるＡ−Ａ部分拡大図である。
【図２６】図２２におけるＢ−Ｂ部分拡大図である。
【図２７】図２４におけるＣ−Ｃ部分拡大図である。
【図２８】図２５におけるＤ−Ｄ線断面図である。
【図２９】本発明の第４実施形態に係る風呂蓋の使用状態を示す側面図である。
【発明を実施するための形態】
【００１４】
以下、適宜図面を用いながら本発明の実施形態について詳述する。ただし、本発明は、以下の実施形態に限定されるものではない。
（第１実施形態）
図１は、本発明の第１実施形態に係る風呂用蓋１００を示している。風呂用蓋１００は巻き取り可能に構成されたいわゆるシャッター式の風呂用蓋であって、多数個が並列に配設される筒状の板状部材１と、隣接する板状部材１を連結する複数のヒンジ部２と、板状部材１の両端開口を塞ぐキャップ３とを備えている。
【００１５】
板状部材１は、図１に示すように、長手方向に垂直な断面が略台形の筒状をなし、外筒部１１と、外筒部１１の内部空間を幅方向に２分する補強壁１２とを有している。板状部材１の表面には、補強壁１２の上端に沿って、長手方向に延びるＶ字溝１３が設けられている。部板状部材１は、蓄光剤、及び集光性蛍光剤が分散配合された熱可塑性樹脂により成形されている。
【００１６】
蓄光剤は、一旦光エネルギーを吸収して一時的に蓄えた後、そのエネルギーを徐々に燐光として放出するものであれば、特に限定されるものではなく、硫化物系蓄光材、酸化物系蓄光材など、蓄光性を有するあらゆる材料を使用することができる。硫化物系蓄光材としては、賦活剤として銅やビスマスを添加した硫化亜鉛および硫化カルシウム系蓄光材が挙げられ、その具体例としては、ＺｎＳ・Ｃｕ、ＺｎＣｄＳ・Ｃｕ、ＣａＳ・Ｂｉ、ＣａＳ・ＣａＳｒＳ・Ｂｉなどの化合物が挙げられる。また、酸化物系蓄光材としては、賦活剤として希土類を添加したアルカリ土類アルミン酸塩系蓄光材が挙げられ、その具体例としては、ＳｒＡｌ２Ｏ４：Ｅｕ，Ｄｙ、ＣａＡｌ２Ｏ４：Ｅｕ，Ｎｄなどが挙げられる。
【００１７】
集光性蛍光剤としては、特に限定されず、ナフタルイミド等の公知の材料を適宜に用いることができる。
【００１８】
ヒンジ部２は、軟質の熱可塑性樹脂からなる帯状の部材であり、２色押出し成形により板状部材１と一体的に形成される。詳細には、４本の板状部材１をヒンジ部２で連結するよう押出し成形した中間部材をヒンジ部２で高周波溶着等により複数連結して所望サイズの風呂用蓋１００とする。本実施形態では、板状部材１を際立たせて暗闇での巻き取り方向を視認しやすくするため、ヒンジ部２は蓄光剤も集光性蛍光剤も有さないが、両剤の一方又は両方を含ませることもできる。
【００１９】
キャップ３は、硬質の熱可塑性樹脂からなり、不図示の嵌合手段により、板状部材１両端の開口部に嵌合される。本実施形態では、キャップ３も蓄光性を有する。
【００２０】
上記のような構成を有する風呂用蓋１００は、図２に示すように、消灯して浴室内を暗くすると、昼間窓から差し込む太陽光により、あるいは、浴室内の電灯により蓄えた光エネルギーを放出して発光する。半身浴を行うために、風呂用蓋１００の端部をヒンジ部２で折り返して浴槽から首を出す開口を設ける際など、裏返した部分も発光するため意匠性が損なわれることがない。また、板状部材１の裏面側が発光することで浴槽内を照らすことができ、浴槽内の不気味さを解消できるとともに、より幻想的な雰囲気を醸し出して空間演出効果を高めることができる。
【００２１】
また、本実施形態では、ヒンジ部２が蓄光性を有さないため、板状部材１が縞模様を形成し、暗闇の中でも風呂用蓋１００の巻き取り方向を把握することができる。
【００２２】
さらに、板状部材１は、集光性蛍光剤を含有するため、浴室内を点灯した状態では板状部材１の表面に照射された光をＶ字溝１３に集光してＶ字溝１３が発光する。また、集光性蛍光剤により、板状部材１の長手方向の端部を光らせることもできる。このように、本実施形態に係る風呂蓋１００は、蓄光剤と集光性蛍光剤とを含有するため、浴室内を点灯した際と、消灯した際とで異なる部分を発光させることができ、より一層空間演出効果を高めることができる。
【００２３】
（その他の実施形態）
本発明の風呂用蓋は、上記の実施形態に限らず、蓄光剤や集光性蛍光剤により発光するよう構成されていれば、本発明の趣旨を逸脱しない範囲において自由に形状を変更することができる。例えば、図３乃至図２９に示した第２、第３、及び第４実施形態は、第１実施形態同様に、板状部材が蓄光剤、及び／又は集光性蛍光剤により発光するよう形成された他の形状を示したものである。
また、本発明の風呂用蓋は、巻き取り式でなく折り畳み式であっても、１枚からなる平板式であっても、２枚以上の平板を組み合わせた組み合わせ蓋であってもよい。ヒンジ部やキャップにも蓄光剤や集光性蛍光剤を用いることができる他、蓄光剤と集光性蛍光剤を異なる部材に配することができ、両剤を配する部材の組み合わせも適宜に変更することができる。蓄光剤及び集光性蛍光剤は、各部の樹脂に含有させるのではなく、各部の表面に塗料として塗布することもできる。蓄光剤や集光性蛍光剤を含有したシート等を風呂蓋の表面に貼付するようにしてもよい。蓄光剤と集光性蛍光剤のいずれか一方のみを用いることもできる。集光性蛍光剤により光を側面や裏面側に集光して発光させてもよい。
尚、第２実施形態乃至第４実施形態において、左側面図は右側面図と対称に表れ、平面図は底面図と対称に表れるため省略している。
【産業上の利用可能性】
【００２４】
本発明の風呂用蓋は、意匠性が高く、入浴する人が癒され、好みの空間演出を楽しむことができるため、各種の風呂用蓋に好適に採用できる。
【符号の説明】
【００２５】
１００，２００，３００，４００  風呂用蓋
１，２０１，３０１，４０１  板状部材
１１，２１１，３１１，４１１  外筒部
１２，２１２，３１２，４１２  補強壁
２，２０２，３０２，４０２  ヒンジ部
３，２０３，３０３，４０３  キャップ
【図１】
2016030080.tif 000003
【図３】
2016030080.tif 000004
【図４】
2016030080.tif 000005
【図５】
2016030080.tif 000006
【図６】
2016030080.tif 000007
【図７】
2016030080.tif 000008
【図８】
2016030080.tif 000009
【図９】
2016030080.tif 000010
【図１０】
2016030080.tif 000011
【図１１】
2016030080.tif 000012
【図１２】
2016030080.tif 000013
【図１３】
2016030080.tif 000014
【図１４】
2016030080.tif 000015
【図１５】
2016030080.tif 000016
【図１６】
2016030080.tif 000017
【図１７】
2016030080.tif 000018
【図１８】
2016030080.tif 000019
【図１９】
2016030080.tif 000020
【図２０】
2016030080.tif 000021
【図２１】
2016030080.tif 000022
【図２２】
2016030080.tif 000023
【図２３】
2016030080.tif 000024
【図２４】
2016030080.tif 000025
【図２５】
2016030080.tif 000026
【図２６】
2016030080.tif 000027
【図２７】
2016030080.tif 000028
【図２８】
2016030080.tif 000029
【図２９】
2016030080.tif 000030
【図２】
2016030080.tif 000031